(57)【要約】【課題】歯ブラシ保持部を扉の開閉動作と連動させることにより、使い勝手の良さ、及び衛生面の向上を図ることができる歯ブラシ殺菌装置を提供すること。【解決手段】扉１２の蓋板１２ａの内側端部に連結板２０を固定し、連結板２０の先端部に設けられた突起２１が、歯ブラシ保持トレイ３０の裏側に形成された第１ガイド溝３４、第２ガイド溝３７、及び第３ガイド溝３８に従って、ガイド溝内を案内されるようにする。これにより、扉１２と歯ブラシ保持トレイ３０を連結させることによって、歯ブラシ保持トレイ３０を、扉１２の開動作と連動させて収容部から開口部側へ可動させるとともに、扉１２の閉動作と連動させて開口部側から収容部へ可動させることができる。【選択図】図６
2010005200.tif 000002
【特許請求の範囲】
【請求項１】
筐体に対して設けられた開口部を開閉するための扉が取り付けられた歯ブラシ殺菌装置において、
歯ブラシを殺菌する殺菌手段と、
前記歯ブラシを保持する歯ブラシ保持部と、を備え、
前記殺菌手段及び前記歯ブラシ保持部は、前記筐体内部に収容されるようになっており、
前記歯ブラシ保持部は、前記扉の開動作と連動して前記筐体内部から前記開口部側へ可動し、前記扉の閉動作と連動して前記開口部側から前記筐体内部に可動するように構成されていることを特徴とする歯ブラシ殺菌装置。
【請求項２】
前記扉は、前記筐体に対して所定の位置を支点として取り付けられており、該支点を中心として開閉動作することを特徴とする請求項１に記載の歯ブラシ殺菌装置。
【請求項３】
前記歯ブラシ保持部は、前記扉に対して連結手段によって連結されることで、前記扉の開閉動作に連動することを特徴とする請求項１又は請求項２に記載の歯ブラシ殺菌装置。
【請求項４】
前記連結手段は、前記歯ブラシ保持部の裏面側で前記歯ブラシ保持部と前記扉を連結することを特徴とする請求項３に記載の歯ブラシ殺菌装置。
【請求項５】
前記連結手段には、前記歯ブラシ保持部を裏面側から支えるための支持部が形成されていることを特徴とする請求項３又は請求項４に記載の歯ブラシ殺菌装置。
【請求項６】
前記扉の開動作が行われた場合に、前記支点を中心とする前記扉の開口角度を略直角となる位置に規制する規制手段を備えていることを特徴とする請求項２〜請求項５のうちいずれか一項に記載の歯ブラシ殺菌装置。
【請求項７】
前記連結手段による前記扉と前記歯ブラシ保持部との連結を解除する連結解除手段を備え、
前記連結解除手段によって前記扉と前記歯ブラシ保持部との連結が解除され、前記扉は、前記歯ブラシ保持部との連結が解除されると、前記支点を中心として前記扉の開口角度が鈍角となる位置まで開放可能に構成されていることを特徴とする請求項３〜請求項６のうちいずれか一項に記載の歯ブラシ殺菌装置。
【請求項８】
前記扉を、前記支点を中心とする前記扉の開口角度が鈍角となる位置まで開いた状態から閉動作を行う際、前記連結手段を前記歯ブラシ保持部における所定の連結位置まで誘導するガイド部が、前記歯ブラシ保持部の裏面の側部に形成されていることを特徴とする請求項７に記載の歯ブラシ殺菌装置。
【請求項９】
前記扉を、前記支点を中心とする前記扉の開口角度が鈍角となる位置まで開いた状態から閉動作を行う際、前記連結手段を前記歯ブラシ保持部における所定の連結位置まで誘導させるガイド部が、前記歯ブラシ保持部の裏面であって、前記筐体の開口部側に形成されていることを特徴とする請求項７に記載の歯ブラシ殺菌装置。
【請求項１０】
前記歯ブラシ保持部は、前記筐体に対して着脱自在に取り着けられていることを特徴とする請求項１〜請求項９のうちいずれか一項に記載の歯ブラシ殺菌装置。
【発明の詳細な説明】
【技術分野】
【０００１】
本発明は、歯ブラシの植毛部に付着した細菌類を除去することのできる歯ブラシ殺菌装置に関する。
【背景技術】
【０００２】
従来から、使用者が口腔洗浄のために使用する歯ブラシを清潔な状態で管理するために、歯ブラシの植毛部に付着した細菌類を除去することのできる歯ブラシ殺菌装置が数多く提案されている。
【０００３】
このような歯ブラシ殺菌装置には、例えば、歯ブラシを収納する箱状本体の中に紫外線を照射する殺菌手段としての殺菌灯を設置し、歯ブラシの植毛部に紫外線を照射して殺菌する歯ブラシ殺菌装置がある（特許文献１）。また、特許文献１の歯ブラシ殺菌装置では、箱状本体の一側部側に、扉が回動可能に組み付けられているとともに、歯ブラシを保持する差し込み穴が形成された歯ブラシ保持部（歯ブラシ支持台）が箱状本体に収納されるようになっている。また、箱状本体の内部側壁には、箱状本体の前後方向に向けて延びる一対のレールが形成されている。そして、特許文献１の歯ブラシ殺菌装置では、扉を開動させて箱状本体を開口状態にすると、扉の開動作とは別に、手動で歯ブラシ保持部をレールに沿って箱状本体内から外部に向けて取り外すことができるようになっている。
【特許文献１】特開２０００−３２５４４２
【発明の開示】
【発明が解決しようとする課題】
【０００４】
しかしながら、特許文献１の歯ブラシ殺菌装置では、扉を開動作したからといって、それに伴って歯ブラシ保持部も開口側に引き出されるわけではない。したがって、扉の開動作とは別に歯ブラシ保持部を開口側に引き出さなければならず、その作業は二度手間であり、使い勝手が悪くて煩雑であった。また、扉の開動作とは別に歯ブラシ保持部を手動で開口側に引き出さなければならないため、殺菌処理後の歯ブラシの植毛部に誤って使用者の手が触れてしまう虞もあり、せっかく殺菌処理したにもかかわらず、再度、菌が付着してしまう虞があった。
【０００５】
本発明は、このような実情に鑑みてなされたものであり、その目的は、歯ブラシ保持部を扉の開閉動作と連動させることにより、使い勝手の良さ、及び衛生面の向上を図ることができる歯ブラシ殺菌装置を提供することにある。
【課題を解決するための手段】
【０００６】
上記問題点を解決するために、請求項１に記載の発明は、筐体に対して設けられた開口部を開閉するための扉が取り付けられた歯ブラシ殺菌装置において、歯ブラシを殺菌する殺菌手段と、前記歯ブラシを保持する歯ブラシ保持部と、を備え、前記殺菌手段及び前記歯ブラシ保持部は、前記筐体内部に収容されるようになっており、前記歯ブラシ保持部は、前記扉の開動作と連動して前記筐体内部から前記開口部側へ可動し、前記扉の閉動作と連動して前記開口部側から前記筐体内部に可動するように構成されていることを要旨とする。
【０００７】
請求項２に記載の発明は、請求項１に記載の歯ブラシ殺菌装置において、前記扉は、前記筐体に対して所定の位置を支点として取り付けられており、該支点を中心として開閉動作することを要旨とする。
【０００８】
請求項１及び請求項２に記載の発明によれば、歯ブラシ保持部が扉の動作と連動して可動するように構成されているので、扉の開動作とは別に歯ブラシ保持部を可動させる手間を省くことができ、歯ブラシ保持部を扉の開閉動作と連動させることにより、使い勝手の良さ、及び衛生面の向上を図ることができる。
【０００９】
請求項３に記載の発明は、請求項１又は請求項２に記載の歯ブラシ殺菌装置において、前記歯ブラシ保持部は、前記扉に対して連結手段によって連結されることで、前記扉の開閉動作に連動することを要旨とする。
【００１０】
これによれば、連結手段によって扉と歯ブラシ保持部を連結させるだけで、扉の動きに連動させて歯ブラシ保持部を可動させることができる。
請求項４に記載の発明は、請求項３に記載の歯ブラシ殺菌装置において、前記連結手段は、前記歯ブラシ保持部の裏面側で前記歯ブラシ保持部と前記扉を連結することを要旨とする。
【００１１】
これによれば、連結手段が歯ブラシ保持部の裏面に位置することになるので、連結手段が殺菌手段の殺菌雰囲気下に直接晒されることなく、連結手段へダメージを与え難くすることができるとともに、汚れ難く、連結手段の清掃を簡単に行うことができる。
【００１２】
請求項５に記載の発明は、請求項３又は請求項４に記載の歯ブラシ殺菌装置において、前記連結手段には、前記歯ブラシ保持部を裏面側から支えるための支持部が形成されていることを要旨とする。
【００１３】
これによれば、支持部が、歯ブラシ保持部を裏面側から支えることにより、歯ブラシ保持部がガタつくことを抑制し、安定して歯ブラシ保持部を支えることができる。
請求項６に記載の発明は、請求項２〜請求項５のうちいずれか一項に記載の歯ブラシ殺菌装置において、前記扉の開動作が行われた場合に、前記支点を中心とする前記扉の開口角度を略直角となる位置に規制する規制手段を備えていることを要旨とする。
【００１４】
これによれば、扉が、支点を中心とする開口角度が略直角となる位置で停止することで、扉の開放時における占有面積を減らすことができる。
請求項７に記載の発明は、請求項３〜請求項６のうちいずれか一項に記載の歯ブラシ殺菌装置において、前記連結手段による前記扉と前記歯ブラシ保持部との連結を解除する連結解除手段を備え、前記連結解除手段によって前記扉と前記歯ブラシ保持部との連結が解除され、前記扉は、前記歯ブラシ保持部との連結が解除されると、前記支点を中心として前記扉の開口角度が鈍角となる位置まで開放可能に構成されていることを要旨とする。
【００１５】
これによれば、連結解除手段によって扉と歯ブラシ保持部との連結が解除され、扉が大きく開くことによって、たとえ扉の開口方向が利き手と同じ方向であっても、使用者の手が入り込めるスペースが新たに作り出されるので、利き手による使い難さを改善することができ、より使い勝手の良さや衛生面の向上を図ることができる。
【００１６】
請求項８に記載の発明は、請求項７に記載の歯ブラシ殺菌装置において、前記扉を、前記支点を中心とする前記扉の開口角度が鈍角となる位置まで開いた状態から閉動作を行う際、前記連結手段を前記歯ブラシ保持部における所定の連結位置まで誘導するガイド部が、前記歯ブラシ保持部の裏面の側部に形成されていることを要旨とする。
【００１７】
請求項９に記載の発明は、請求項７に記載の歯ブラシ殺菌装置において、前記扉を、前記支点を中心とする前記扉の開口角度が鈍角となる位置まで開いた状態から閉動作を行う際、前記連結手段を前記歯ブラシ保持部における所定の連結位置まで誘導させるガイド部が、前記歯ブラシ保持部の裏面であって、前記筐体の開口部側に形成されていることを要旨とする。
【００１８】
請求項８及び請求項９に記載の発明によれば、連結手段を歯ブラシ保持部における所定の連結位置まで誘導するガイド部を、歯ブラシ保持部の裏面側に形成したことにより、連結手段を歯ブラシ保持部から外した状態からでも、容易に連結手段と歯ブラシ保持部を連結させることができる。
【００１９】
請求項１０に記載の発明は、請求項１〜請求項９のうちいずれか一項に記載の歯ブラシ殺菌装置において、前記歯ブラシ保持部は、前記筐体に対して着脱自在に取り付けられていることを要旨とする。
【００２０】
これによれば、歯ブラシ保持部を、筐体に対して着脱自在に取り付けられていることにより、歯ブラシ保持部の清掃を容易に行うことができる。
【発明の効果】
【００２１】
本発明によれば、歯ブラシ保持部を扉の開閉動作と連動させることにより、使い勝手の良さ、及び衛生面の向上を図ることができる。
【発明を実施するための最良の形態】
【００２２】
以下、本発明を歯ブラシの植毛部に付着した細菌類を殺菌する歯ブラシ殺菌装置に具体化した一実施形態を図１〜図９にしたがって説明する。なお、本実施形態では、歯ブラシ殺菌装置を洗面台などに設置した状態（使用状態）の上下方向を、図１では矢印Ｙ１で示すとともに、左右方向を矢印Ｙ２で示し、前後方向（奥行き方向）を矢印Ｙ３で示す。
【００２３】
図１、図２、図４に示すように、歯ブラシ殺菌装置１は、ブロック状の基台６０の上方に、前面に開口部Ｋを有する有底四角箱状の筐体１０と、電動歯ブラシを起立状態で保持するための電動歯ブラシホルダ５０とが併設されている。
【００２４】
筐体１０は、正面視長方形の背板１１の上短辺に上板１１ａを、両長辺にそれぞれ左側板１１ｂ、右側板１１ｃを立設するとともに、上板１１ａ、左側板１１ｂ、及び右側板１１ｃによって囲み形成された開口部Ｋを一面に有している。なお、左側板１１ｂの奥行き方向への長さは、右側板１１ｃの奥行き方向への長さの略半分となっており、左側板１１ｂ及び右側板１１ｃは、背板１１に立設されているため、筐体１０を開口部Ｋ側から見ると、奥行き方向への左側板１１ｂと右側板１１ｃの長さが異なって見える。
【００２５】
また、左側板１１ｂの外側の開口端部には、開口部Ｋと略同一面積の正面視長方形状の蓋板１２ａと、蓋板１２ａの端部に直角形成された正面視長方形状の側板１２ｂとで構成された平面視略Ｌ字状の扉１２が、支点Ｑを中心として回動し、開口部Ｋを開閉するように取り付けられている。なお、支点Ｑには、側板１２ｂの端部が取り付けられており、開口部Ｋが、扉１２によって閉塞される場合、奥行き方向において左側板１１ｂと側板１２ｂが略面一となって、略一直線状となるとともに、蓋板１２ａによって開口部Ｋが閉塞される。また、扉１２を閉じた状態での蓋板１２ａの左右方向への長さは、背板１１の左右方向への長さと略同じ長さとなっている一方で、扉１２を閉じた状態での蓋板１２ａの上下方向への長さは、左側板１１ｂの上下方向への長さと略同一となっている。一方、扉１２を閉じた状態での左側板１１ｂと側板１２ｂとを合わせた奥行き方向への長さは、右側板１１ｃの奥行き方向への長さと略同一となっている一方で、扉１２を閉じた状態での側板１２ｂの上下方向への長さは、左側板１１ｂの上下方向への長さと略同一となっている。つまり、扉１２の支点Ｑは、歯ブラシ殺菌装置１において、該装置の奥行き方向への長さの略半分となる位置に形成されていることになる。
【００２６】
また、蓋板１２ａの内側上部には、扉１２を閉める際に筐体１０に係合される正面視略Ｌ字状に形成された係合片１３が形成されている一方で、筐体１０の右側板１１ｃにおいて係合片１３と対向する位置には、係合片１３が係合される係合溝１４が形成されている。そして、係合片１３と係合溝１４との係合によって、扉１２が筐体１０にロックされ、開口部Ｋが開かないようになっている。
【００２７】
また、上板１１ａの上面には、歯ブラシ殺菌装置１の電源ＯＮ、ＯＦＦを切り替える際に押圧操作される電源スイッチ１５と、扉１２のロック状態を解除する扉解除スイッチ１６とが併設されている。
【００２８】
筐体１０の内部は収容部Ｓとなっており、該収容部Ｓの奥方には、歯ブラシＨの植毛部ＨＳに付着した細菌類を殺菌する殺菌手段としての円柱状のＵＶランプ１７が配設されている。ＵＶランプ１７の外周は、使用者の指や歯ブラシＨの植毛部ＨＳが直接ＵＶランプ１７に接触することを防ぐため、複数個の孔が形成された第１カバー１８によって囲まれており、さらにＵＶランプ１７の下部は、略円筒状の第２カバー１９によって囲まれている。
【００２９】
また、左側板１１ｂ及び右側板１１ｃの内側下部には、筐体１０の奥行き方向に向かって延びる一定の溝幅を持ったレールＲが形成されている。そして、筐体１０の開口部Ｋ側に位置するレールＲの端部には、緩やかな突部が、レールＲの溝幅において下部に向かって突出するように形成されている（図１，図８，図９参照）。
【００３０】
また、収容部Ｓにおいて、ＵＶランプ１７よりも前方には、レールＲによって案内されることで奥行き方向への可動が許容されるとともに、電動歯ブラシの歯ブラシＨを保持する歯ブラシ保持部としての歯ブラシ保持トレイ３０が収容されるようになっている。歯ブラシ保持トレイ３０は、平面視が略長方形状に形成されており、その外周縁部を囲うように壁３２が立設されている。壁３２の上下方向への長さは、レールＲの溝幅よりもやや短くなるように形成されており、レールＲの溝幅内に壁３２が案内されるようになっている。そして、歯ブラシ保持トレイ３０が、レールＲに沿って筐体１０の奥行き方向に可動できるようになっている。
【００３１】
また、歯ブラシ保持トレイ３０の両短辺に立設された壁３２には、さらに、収容部Ｓの奥方に向かって一対の延設部３２ａが延設されている（図３、図９参照）。延設部３２ａは、レールＲの開口部Ｋ側に形成された突部と係合するように、先端がゆるいカーブを描くように上方向に向かって折り曲げ形成されている。
【００３２】
扉１２を閉じた状態での歯ブラシ保持トレイ３０の左右方向への長さは、収容部Ｓの左右方向への長さよりも短くなっているとともに、扉１２を閉じた状態での歯ブラシ保持トレイ３０の奥行き方向への長さは、収容部Ｓの奥行き方向への長さの略半分となっている。そして、収容部Ｓには、ＵＶランプ１７と歯ブラシ保持トレイ３０の両方が収容されるようになっている。また、収容部Ｓの上下方向への長さは、歯ブラシＨよりも少し長くなっている。
【００３３】
歯ブラシ保持トレイ３０の底板３１の表面には、複数個（本実施形態では２個）の突片３３が所定の間隔を空けて立設されている。なお、電動歯ブラシの歯ブラシＨ部分は、電動歯ブラシ本体に対して取り外しが可能となるように構成されており、歯ブラシＨの内部には、電動歯ブラシ本体に取り付けるための取り付け孔（図示せず）が、歯ブラシＨの基端部から歯ブラシＨの植毛部ＨＳに向かって形成されている。そして、歯ブラシ保持トレイ３０の突片３３は、歯ブラシＨの取り付け孔に嵌挿されるような形状に成形されており、この突片３３を歯ブラシＨの取り付け孔に嵌挿させることで、歯ブラシＨを起立状態で保持できるようになっている。また、本実施形態における２個の突片３３は、歯ブラシＨを起立状態で保持した状態で、歯ブラシＨ同士が接触しないような位置であるとともに、歯ブラシＨの植毛部ＨＳが、ＵＶランプ１７が配設されている方向を向くような角度となる位置に立設されている。
【００３４】
また、電動歯ブラシホルダ５０には、電動歯ブラシを起立状態で保持するとともに、電動歯ブラシを充電可能な電動歯ブラシ充電部５１が凹設されている。電動歯ブラシ充電部５１は、その直径が、電動歯ブラシの直径よりもやや長くなっており、電動歯ブラシ充電部５１に電動歯ブラシが嵌挿されるようになっている。
【００３５】
また、図５に示すように、筐体１０及び電動歯ブラシホルダ５０の下方に形成された基台６０には、電動歯ブラシ充電部５１やＵＶランプ１７の照射強度を制御する下制御回路６１が内蔵されている。さらに、収容部Ｓの上方には、上収容部６２が形成されており、上収容部６２には、収容部Ｓ内を乾燥させるファン６３が収容されているとともに、ファン６３の動作や電源スイッチ１５の押圧操作を受けて歯ブラシ殺菌装置１の起動を制御する上制御回路６４が内蔵されている。本実施形態では、下制御回路６１にタイマ機能が搭載されており、所定時間が経過すると、ＵＶランプ１７の照射が自動的に停止されるようになっている。
【００３６】
このように構成された歯ブラシ殺菌装置１では、歯ブラシ保持トレイ３０が、扉１２の開閉動作に連動して可動するようになっている。以下、歯ブラシ保持トレイ３０が、扉１２の開閉動作に連動して可動するための構成を図２，図３に従って説明する。なお、図３では、歯ブラシ殺菌装置１を洗面台などに設置した状態（使用状態）において、歯ブラシ保持トレイ３０が収容部Ｓの奥行き方向に沿って可動する方向を、図１と同一の矢印Ｙ３で示す。そして、矢印Ｙ３で示す前方向を開口部Ｋ側とし、矢印Ｙ３で示す後方向を収容部Ｓの奥側とする。
【００３７】
扉１２の蓋板１２ａの内側下部には、歯ブラシ保持トレイ３０の裏面側に連結される連結手段としての連結板２０が、蓋板１２ａに対して直角形成されている。連結板２０は、平面視略Ｌ字状の撓み変形可能な板であって、連結板２０の長手方向への長さは、後に詳述するが、歯ブラシ保持トレイ３０の裏面側を可動することが可能な長さとなっている。連結板２０の基端部は、扉１２に固定されている一方で、連結板２０の先端部には、上方向に向かって突出する円柱状の突起２１が立設されているとともに、先端部において突起２１が立設されている位置と対向する位置には、蓋板１２ａと略平行となるように形成された突出部２０ａが延設されている（図６、図７、図９参照）。
【００３８】
また、図３に示すように、歯ブラシ保持トレイ３０の裏面には、歯ブラシ保持トレイ３０の奥側端部における長辺の略中央に開口し、奥側端部から開口部Ｋ側へ向かってその溝幅が徐々に幅狭となるように形成されたガイド溝３４ａが形成されている。さらに、歯ブラシ保持トレイ３０の裏面には、ガイド溝３４ａと直交するように連設され、扉１２が取り付けられている方向に位置する左短辺の略中央へ向かってその溝幅が略一定となるように形成されたガイド溝３４ｂが形成されている。そして、ガイド溝３４ａ及びガイド溝３４ｂによって、平面視略Ｌ字状の第１ガイド溝３４が構成されている。なお、ガイド溝３４ｂの端部は、開口部Ｋ側に向かうに連れてその溝幅が幅広となるように形成されている。
【００３９】
また、ガイド溝３４ａの溝幅は、連結板２０の突起２１の直径よりもはるかに長くなるように形成されている一方で、ガイド溝３４ｂの溝幅は、突起２１の直径よりもやや長くなるように形成されており、突起２１は、第１ガイド溝３４に沿って移動するようになっている。これにより、連結板２０の突起２１が第１ガイド溝３４を案内されることで、扉１２と歯ブラシ保持トレイ３０とが連結されることになる。さらに、突起２１は、ガイド溝３４ａを形成している壁面に引っ掛かりにくくなるとともに、ガイド溝３４ｂでは、ある程度その動きが規制されて移動できるようになっている。
【００４０】
また、ガイド溝３４ｂの端部側であって、歯ブラシ保持トレイ３０の左側部には、第１規制壁３５を挟み、歯ブラシ保持トレイ３０の左短辺の略中央に開口し、第１規制壁３５が形成されている位置に向かってその溝幅が徐々に幅狭となるように形成された、平面視台形状のガイド部としての第２ガイド溝３７が凹設されている。また、第２ガイド溝３７の溝幅は、連結板２０の突起２１の直径よりもはるかに長くなるように形成されており、突起２１は、第２ガイド溝３７に沿って移動するようになっている。これにより、突起２１は、第２ガイド溝３７を形成している壁面に引っ掛かりにくくなる。
【００４１】
また、ガイド溝３４ｂの端部を形成している第１規制壁３５の壁面３５ａは、その傾斜角度が急勾配となるように形成されている一方で、第２ガイド溝３７の端部を形成している第１規制壁３５の壁面３５ｂは、その傾斜角度が壁面３５ａよりも緩やかになるように形成されている。これにより、突起２１が、ガイド溝３４ｂ側から第１規制壁３５が形成されている位置までガイド溝３４ｂを案内されると、壁面３５ａに形成された急斜面によって、突起２１の移動が規制されるようになっている。一方、突起２１が、第２ガイド溝３７側から第１規制壁３５が形成されている位置まで第２ガイド溝３７を案内されると、壁面３５ｂに形成された緩斜面によって、第２ガイド溝３７からガイド溝３４ｂに案内され易くなっている。
【００４２】
さらに、歯ブラシ保持トレイ３０の開口部Ｋ側であって、ガイド溝３４ｂよりも開口部Ｋ側には、第２規制壁３６を挟み、歯ブラシ保持トレイ３０の開口部Ｋ側の長辺の略中央に開口し、第２規制壁３６が形成されている位置に向かってその溝幅が徐々に幅狭となるように形成された、平面視台形状のガイド部としての第３ガイド溝３８が凹設されている。また、第３ガイド溝３８の溝幅は、連結板２０の突起２１の直径よりもはるかに長くなるように形成されているとともに、第３ガイド溝３８の面積は、第２ガイド溝３７の面積よりも広くなるように形成されており、突起２１は、第３ガイド溝３８に沿って移動するようになっている。これにより、突起２１は、第３ガイド溝３８を形成している壁面に引っ掛かりにくくなる。
【００４３】
また、ガイド溝３４ｂを形成している第２規制壁３６の壁面３６ａは、その傾斜角度が急勾配となるように形成されている一方で、第３ガイド溝３８を形成している第２規制壁３６の壁面３６ｂは、その傾斜角度が壁面３６ａよりも緩やかになるように形成されている。これにより、突起２１が、第３ガイド溝３８側から第２規制壁３６が形成されている位置まで第３ガイド溝３８を案内されると、壁面３６ｂに形成された緩斜面によって、第３ガイド溝３８からガイド溝３４ｂに案内され易くなっている。なお、第１規制壁３５と第２規制壁３６は略同じ高さとなっている。
【００４４】
このように構成された歯ブラシ殺菌装置１では、蓋板１２ａに立設（直角形成）された連結板２０により、扉１２と歯ブラシ保持トレイ３０を連結させることによって、扉１２と歯ブラシ保持トレイ３０との動きを連動させることができる。具体的には、歯ブラシ保持トレイ３０を、扉１２の開動作と連動させて収容部Ｓから開口部Ｋ側へ可動できるとともに、扉１２の閉動作と連動させて開口部Ｋ側から収容部Ｓへ可動できる。そして、扉１２と歯ブラシ保持トレイ３０との連動は、突起２１が、歯ブラシ保持トレイ３０の裏面に形成された第１ガイド溝３４、第２ガイド溝３７、及び第３ガイド溝３８に沿って移動することで起こるようになっている。
【００４５】
次に、扉１２の開動作と連動して歯ブラシ保持トレイ３０が収容部Ｓから開口部Ｋ側に可動する流れを説明する。
前述のように構成された歯ブラシ殺菌装置１では、扉１２が閉状態の場合、図５及び図６（ａ）に示すように、連結板２０は、歯ブラシ保持トレイ３０の下部に収容される。具体的には、連結板２０の基端部と歯ブラシ保持トレイ３０の開口部Ｋ側の端部が略面一となる位置に収容されるとともに、連結板２０の先端部は、歯ブラシ保持トレイ３０からはみ出し、第１ガイド溝３４の奥側端部よりも奥側に収容される。
【００４６】
そして、使用者が扉解除スイッチ１６を押圧操作し、支点Ｑを中心として扉１２を開くと、図６（ｂ）に示すように、扉１２の開動作と連動して、連結板２０の突起２１が、第１ガイド溝３４のガイド溝３４ａに案内（誘導）され、ガイド溝３４ａに沿って歯ブラシ保持トレイ３０の奥側から開口部Ｋ側へ向かって移動する。また、前述したように、第１ガイド溝３４のガイド溝３４ｂの溝幅は、連結板２０の突起２１の直径よりもやや長いため、ガイド溝３４ａの溝幅は、突起２１の直径よりもはるかに長いことになる。このため、突起２１は、ガイド溝３４ａの周囲に引っ掛かることなくスムーズに移動することになる。
【００４７】
さらに、使用者が扉１２の開動作を続けると、図６（ｃ）に示すように、扉１２の開動作と連動して、突起２１は、ガイド溝３４ａからガイド溝３４ｂに案内される。前述したように、ガイド溝３４ｂの溝幅は、突起２１の直径よりもやや長く形成されているので、ガイド溝３４ｂでは、突起２１の移動はある程度規制されることになる。そして、ガイド溝３４ａとガイド溝３４ｂとのほぼ境目となる位置が支点Ｑ１となり、歯ブラシ保持トレイ３０が、扉１２の開動作と連動し、支点Ｑ１を中心としてレールＲに沿って開口部Ｋ側に徐々に可動される。
【００４８】
さらに、使用者が扉１２の開動作を続けると、突起２１はガイド溝３４ｂに沿って歯ブラシ保持トレイ３０の左側部側に向かって移動し、第１規制壁３５が形成されている位置まで移動されると、図６（ｄ），（ｅ）に示すように、第１規制壁３５によって突起２１の移動が規制される。このとき、連結板２０と歯ブラシ保持トレイ３０は略平行となっている。そして、扉１２は、支点Ｑを中心とする開放角度が略９０°（直角）となる位置で停止しているとともに、歯ブラシ保持トレイ３０は、最も開口部Ｋ側に引き出された状態となる位置で停止している。
【００４９】
このような構成により、本実施形態の歯ブラシ殺菌装置１では、歯ブラシ保持トレイ３０を扉１２の開動作とは別に開口部Ｋ側に引き出す必要がなく、扉１２の開動作と連動して開口部Ｋ側に可動させることができる。
【００５０】
また、図６（ｄ）に示すように、歯ブラシ保持トレイ３０が収容部Ｓから開口部Ｋ側に引き出された状態では、連結板２０の突出部２０ａが、歯ブラシ保持トレイ３０の裏面の一部に当接しており、突出部２０ａが歯ブラシ保持トレイ３０を裏面側から支えている。
【００５１】
本実施形態では、突起２１と第１規制壁３５が規制手段となる。また、突出部２０ａが、歯ブラシ保持トレイ３０を裏面側から支える支持部となる。
さらに、使用者が図６（ｄ）の状態から扉１２の開動作を行うと、撓み変形可能な連結板２０は、突起２１が第１規制壁３５の壁面３５ａを上るように案内されることで第１規制壁３５を乗り越え、第２ガイド溝３７へ案内される。そして扉１２は、第２ガイド溝３７の端部が開口されていることで突起２１が第２ガイド溝３７から外れることにより、歯ブラシ保持トレイ３０との連結が解除される。これにより、扉１２は、回動方向への規制がなくなり、支点Ｑを中心する開口角度を９０°よりも広く（鈍角）開くことができ、最大で１８０°となる位置まで開くことが可能となる。本実施形態では、第１規制壁３５の壁面３５ａが連結解除手段となる。
【００５２】
次に、図７（ａ）の状態から連結板２０と歯ブラシ保持トレイ３０との連結を復帰させる流れを説明する。最初に、歯ブラシ保持トレイ３０の裏面側部から連結板２０を挿入し、扉１２と歯ブラシ保持トレイ３０との連結を復帰させる例を説明する。
【００５３】
図７（ａ）の状態（扉１２の開口角度が１８０°となっている状態）から使用者が扉１２を閉動作させると、連結板２０の突起２１が、図７（ｂ）に示すように第２ガイド溝３７に進入する。そして、使用者が扉１２の閉動作を行うと、連結板２０は、第２ガイド溝３７に進入した突起２１が第１規制壁３５の壁面３５ｂを上るように案内されることで第１規制壁３５を乗り越え、第１ガイド溝３４へ案内される（所定の連結位置まで誘導される）。このとき、突起２１は、図７（ｃ）に示すように、第１規制壁３５の壁面３５ｂが緩やかな勾配で形成されていることから、スムーズに第１規制壁３５を乗り越える。そして、突起２１が第２ガイド溝３７から第１ガイド溝３４へ移動したことにより、扉１２と歯ブラシ保持トレイ３０は、連結板２０によって連結される。
【００５４】
その後、使用者が扉１２の閉動作をさらに行うと、連結板２０は、突起２１がガイド溝３４ｂからガイド溝３４ａに案内されることで、図６（ｂ）〜（ｄ）を用いて先に説明した扉１２の開動作時と逆の動作、すなわち、図６（ｄ）→図６（ｃ）→図６（ｂ）の順に動作する。この動作により、連結板２０を介して扉１２と連結された歯ブラシ保持トレイ３０は、レールＲに案内されながら扉１２の閉動作に連動して収容部Ｓ側に移動し、図７（ｆ）に示す収容位置に収容される。歯ブラシ保持トレイ３０が、図７（ｆ）に示す収容位置に収容された状態において扉１２は、筐体１０の開口部Ｋを閉塞している。
【００５５】
このような構成により、本実施形態の歯ブラシ殺菌装置１では、歯ブラシ保持トレイ３０を扉１２の閉動作とは別に閉める必要がなく、扉１２の閉動作と連動して奥側に可動させ、収容することができる。そして、第２ガイド溝３７によって、連結板２０を歯ブラシ保持トレイ３０における所定の連結位置までスムーズに案内することができる。
【００５６】
次に、歯ブラシ保持トレイ３０の裏面の開口部Ｋ側から連結板２０を挿入し、扉１２と歯ブラシ保持トレイ３０との連結を復帰させる例を説明する。
この例では、扉１２と歯ブラシ保持トレイ３０が連結板２０によって連結されておらず、歯ブラシ保持トレイ３０のみが図７（ｄ）に示すような収容位置に収容されている場合に、歯ブラシ保持トレイ３０の裏面の開口部Ｋ側から連結板２０を挿入し、扉１２と歯ブラシ保持トレイ３０との連結を復帰させることができるようになっている。同様に、図７（ａ）の状態から扉１２を閉動作させたが、突起２１が第２ガイド溝３７に進入し得ない位置まで歯ブラシ保持トレイ３０が収容部Ｓ側に移動している場合にも、扉１２と歯ブラシ保持トレイ３０との連結を復帰させることができるようになっている。
【００５７】
図７（ｄ）の状態（歯ブラシ保持トレイ３０のみが収容部Ｓに完全に収容されている状態）から使用者が扉１２を閉動作させると、連結板２０の突起２１が、第３ガイド溝３８に進入する。そして、使用者が扉１２の閉動作を行うと、連結板２０は、第３ガイド溝３８に進入した突起２１が第２規制壁３６の壁面３６ｂを上るように案内されることで第２規制壁３６を乗り越え、第１ガイド溝３４へ案内される（所定の連結位置まで誘導される）。このとき、突起２１は、図７（ｅ）に示すように、第２規制壁３６の壁面３６ｂが緩やかな勾配で形成されていることから、スムーズに第２規制壁３６を乗り越える。そして、突起２１が第３ガイド溝３８から第１ガイド溝３４へ移動したことにより、扉１２と歯ブラシ保持トレイ３０は、連結板２０によって連結される。
【００５８】
その後、使用者が扉１２の閉動作をさらに行うと、連結板２０は、突起２１がガイド溝３４ｂからガイド溝３４ａに案内されることで、図６（ｂ），（ｃ）を用いて先に説明した扉１２の開動作時と逆の動作、すなわち、図６（ｃ）→図６（ｂ）の順に動作する。この動作により、連結板２０を介して扉１２と連結された歯ブラシ保持トレイ３０は、レールＲに案内されながら扉１２の閉動作に連動して収容部Ｓ側に移動し、図７（ｆ）に示す収容位置に収容される。歯ブラシ保持トレイ３０が、図７（ｆ）に示す収容位置に収容された状態において扉１２は、筐体１０の開口部Ｋを閉塞している。
【００５９】
このような構成により、本実施形態の歯ブラシ殺菌装置１では、歯ブラシ保持トレイ３０を扉１２の閉動作とは別に閉める必要がなく、扉１２の閉動作と連動して奥側に可動させ、収容することができる。そして、第３ガイド溝３８によって、連結板２０を歯ブラシ保持トレイ３０における所定の連結位置までスムーズに案内することができる。
【００６０】
次に、歯ブラシ保持トレイ３０を筐体１０の外側に取り外す流れについて説明する。
使用者は、扉１２の開動作に連動して歯ブラシ保持トレイ３０が収容部Ｓから引き出された状態で、図８（ａ）に示すように、歯ブラシ保持トレイ３０の開口部Ｋ側を摘まみ、レールＲに形成された突起を支点として歯ブラシ保持トレイ３０を上方向に持ち上げる。これにより、図８（ｂ）に示すように、歯ブラシ保持トレイ３０の延設部３２ａに形成されたカーブと、レールＲに形成された突起とがかみ合って歯ブラシ保持トレイ３０が外れ易くなり、その状態でさらに歯ブラシ保持トレイ３０を開口部Ｋ側にひっぱると、図９に示すように、歯ブラシ保持トレイ３０を取り外すことができる。
【００６１】
上記実施形態によれば、以下に示す効果を得ることができる。
（１）歯ブラシ保持トレイ３０が扉１２の動作と連動して可動するように構成されているので、扉１２の開閉動作とは別に歯ブラシ保持トレイ３０を可動させる手間を省くことができ、歯ブラシ保持トレイ３０を扉１２の開閉動作と連動させることにより、使い勝手の良さ、及び衛生面の向上を図ることができる。
【００６２】
（２）また、扉１２の開動作と連動して歯ブラシ保持トレイ３０が開口部Ｋ側に引き出されるので、歯ブラシ保持トレイ３０に保持された歯ブラシＨが、歯ブラシ殺菌装置１の壁に当たりにくくなる。また、歯ブラシＨを取り出す際に、使用者の手が歯ブラシＨの植毛部ＨＳに触れる機会も減り、衛生面の向上を図ることができる。また、扉１２の開動作と連動して歯ブラシ保持トレイ３０が開口部Ｋ側に引き出されるので、ＵＶランプ１７に歯ブラシＨや使用者の指が触れる機会を少なくすることもできる。
【００６３】
（３）歯ブラシ保持トレイ３０を扉１２の開閉動作に連動させるために連結板２０で両者を連結した。このため、歯ブラシ保持トレイ３０と扉１２を簡単な構成で連結し、かつ連動させることができる。
【００６４】
（４）連結板２０を、歯ブラシ保持トレイ３０の裏面側で連結することにより、連結板２０に対してＵＶランプ１７によるダメージを与え難くすることができる。また、連結板２０が、歯ブラシ保持トレイ３０の裏面側で連結されることによって、例えば歯ブラシＨから水が垂れても連結板２０に直接かかることがなくなるので、汚れ難くなり、連結板２０自体の清掃を簡単に行うことができる。
【００６５】
（５）連結板２０の突出部２０ａが、歯ブラシ保持トレイ３０を裏面側から支えることにより、歯ブラシ保持トレイ３０がガタつくことを抑制し、安定して支えることができる。
【００６６】
（６）扉１２が、支点Ｑを中心とする開口角度が略直角となる位置で停止することで、歯ブラシ殺菌装置１の使用時における占有面積を減らすことができる。
（７）歯ブラシ保持トレイ３０の短辺の側部に位置する第２ガイド溝３７の端部を開口状態とし、歯ブラシ保持トレイ３０から連結板２０が外れやすくし、扉１２と歯ブラシ保持トレイ３０との連結を解除することができるようにした。これにより、扉１２の回動方向に規制がなくなり、利き手による使い難さを改善することができ、たとえ扉１２の開口方向が利き手と同じ方向であっても、使用者の手が入り込めるスペースが新たに作り出されるので、利き手による使い難さを改善することができ、より使い勝手の良さや衛生面の向上を図ることができる。
【００６７】
（８）連結板２０を歯ブラシ保持トレイ３０における所定の連結位置まで誘導する第２ガイド溝３７を、歯ブラシ保持トレイ３０の裏面側部に形成したことにより、連結板２０を歯ブラシ保持トレイ３０から外した状態からでも、容易に連結板２０と歯ブラシ保持トレイ３０を連結させることができる。
【００６８】
（９）連結板２０を歯ブラシ保持トレイ３０における所定の連結位置まで誘導する第３ガイド溝３８を、歯ブラシ保持トレイ３０の開口部Ｋ側に形成した。このことにより、連結板２０を歯ブラシ保持トレイ３０から外した状態であって、突起２１が第２ガイド溝３７に進入し得ない位置まで歯ブラシ保持トレイ３０が収容部Ｓ側に移動している場合にも、開口部Ｋ側から奥側に向けて扉１２を閉める方向に力を加えるだけで、容易に連結板２０と歯ブラシ保持トレイ３０を連結させることができる。
【００６９】
（１０）第１ガイド溝３４には傾斜状（急斜面）の壁面３５ａを連設し、第２ガイド溝３７には傾斜状（緩斜面）の壁面３５ｂを連設した。これにより、扉１２を開動作させる場合には第１ガイド溝３４を案内される連結板２０の突起２１が壁面３５ａに係止することで扉１２の開放角度を略９０°に保持する。そして、壁面３５ａを傾斜状としたことで、壁面３５ａと突起２１の係止状態を解除させるほどの力を加えることにより、扉１２の開放角度を広げることもできる。また、扉１２を大きく開放させた状態（略９０°以上の状態）から扉１２を閉動作させる場合には、第２ガイド溝３７を案内される連結板２０の突起２１が傾斜状の壁面３５ｂに案内される。これにより、連結板２０と歯ブラシ保持トレイ３０との連結をスムーズに復帰させることができ、扉１２を閉動作させることができる。
【００７０】
（１１）また、第３ガイド溝３８には、傾斜状（緩斜面）の壁面３６ｂを連設した。これにより、連結板２０と歯ブラシ保持トレイ３０との連結をスムーズに復帰させることができる。
【００７１】
（１２）歯ブラシ保持トレイ３０を、筐体１０の外側に取り外し可能な構成とすることにより、歯ブラシ保持トレイ３０の清掃を容易に行うことができる。
（１３）扉１２の支点Ｑを、左側板１１ｂであって、歯ブラシ殺菌装置１の奥行き方向への長さの略半分となる位置に設けることによって、扉１２の開放時における扉１２自体の奥行き方向への占有幅を減らすことができ、歯ブラシ殺菌装置１が設置される機会の多い洗面台での使い勝手を向上させることができる。
【００７２】
（１４）歯ブラシ保持トレイ３０が扉１２の開動作と連動して開口部Ｋ側に引き出されるので、収容部Ｓにおける上方向へのスペースが必要なくなり、歯ブラシ殺菌装置１を小型化することができる。
【００７３】
（１５）第１ガイド溝のガイド溝３４ａ、第２ガイド溝３７、第３ガイド溝３８の溝幅を、突起２１の直径よりもはるかに長くした。このことにより、突起２１が、ガイド溝の周囲に引っ掛かることなくスムーズに移動することができる。
【００７４】
なお、上記実施形態は以下のように変更してもよい。
○  実施形態において、歯ブラシ保持トレイ３０が保持できる歯ブラシＨの本数は、２本に限られず、１本でも良いし、３本以上であっても良い。
【００７５】
○  実施形態において、ＵＶランプ１７は扉１２の開動作が行われると照射が停止され、扉１２が閉められているときにＵＶを照射するものであっても良い。
○  本実施形態では、歯ブラシ殺菌装置１は、電動歯ブラシの充電を行うことができる電動歯ブラシホルダ５０を備えていたが、歯ブラシＨの殺菌のみを行うものとし、電動歯ブラシホルダ５０を省略しても良い。この場合、歯ブラシ殺菌装置１を小型化することができる。
【００７６】
○  実施形態において、図１０（ａ）に示すように、左側板１１ｂを右側板１１ｃと略同じ面積となるようにして、扉１２の支点を左側板１１ｂの開口部Ｋ側の端部に設けても良い。この場合、扉１２自体が占有する面積が歯ブラシ殺菌装置１と重複する部分が多くなるので、歯ブラシ殺菌装置１の横幅を短くすることができる。また、図１０（ｂ）に示すように、扉１２の支点を左側板１１ｂの最も奥方に設けても良い。この場合、扉１２自体が占有する奥行き方向への面積が歯ブラシ殺菌装置１と重複する部分が多くなるので、歯ブラシ殺菌装置１の奥行き方向への長さを短くすることができる。
【００７７】
○  実施形態において、第２ガイド溝３７、第３ガイド溝３８のうちいずれか一方を省略しても良い。
○  実施形態において、第１規制壁３５を弾性部材で構成して、その基端部を、ガイド溝を構成する壁に固定し、突起２１がガイド溝３４ｂ側から案内されると、第１規制壁３５の先端部が第２ガイド溝３７側に弾性変形することで、突起２１が第２ガイド溝３７に案内されるようにしても良い。同様に、突起２１が第２ガイド溝３７側から案内されると、第１規制壁３５の先端部がガイド溝３４ｂ側に弾性変形することで、突起２１がガイド溝３４ｂに案内されるようにしても良い。
【００７８】
○  実施形態において、連結板２０の突出部２０ａを省略しても良い。
○  実施形態において、連結板２０は扉１２に固定されているものに限られず、連結板２０自体も取り外し可能としても良い。
【００７９】
○  実施形態において、連結手段は連結板２０に限られず、扉１２と歯ブラシ保持トレイ３０を連結できるものであれば、バネを利用したものであっても良い。
○  実施形態において、扉１２は上下方向に開閉動作するものであっても良い。
【００８０】
○  実施形態において、歯ブラシ殺菌装置１は、電動歯ブラシの歯ブラシＨ部分を殺菌するものに限られず、手動式の歯ブラシの殺菌に用いるものでも良い。
○  実施形態において、殺菌手段として、青色ＬＥＤ、オゾン発生装置、イオン発生装置、温風発生装置等を使用しても良い。
【００８１】
○  実施形態において、歯ブラシ保持トレイ３０を、差込穴が形成されたものとし、差込穴に歯ブラシを差し込んで保持するようにしても良い。
【図面の簡単な説明】
【００８２】
【図１】歯ブラシ殺菌装置の斜視図。
【図２】歯ブラシ殺菌装置を裏から見た斜視図。
【図３】歯ブラシ保持トレイの裏側を示す平面図。
【図４】歯ブラシ殺菌装置の正面図。
【図５】図４のＡ−Ａ線断面図。
【図６】（ａ）〜（ｅ）は、扉を開動作した時の動きを示す模式図。
【図７】（ａ）〜（ｆ）は、扉を閉動作した時の動きを示す模式図。
【図８】（ａ），（ｂ）は、歯ブラシ保持トレイを取り出す様子を示す模式図。
【図９】歯ブラシ保持トレイを取り出す様子を示す模式図。
【図１０】（ａ），（ｂ）は、変更例において、扉の取り付け位置が異なる歯ブラシ殺菌装置の平面図。
【符号の説明】
【００８３】
Ｋ…開口部、Ｓ…収容部、１…歯ブラシ殺菌装置、１０…筐体、１１…背板、１１ｂ…左側板、１２…扉、１７…ＵＶランプ、２０…連結板、２０ａ…突出部、２１…突起、３０…歯ブラシ保持トレイ、３４…第１ガイド溝、３５…第１規制壁、３６…第２規制壁、３７…第２ガイド溝、３８…第３ガイド溝。
【図１】
2010005200.tif 000003
【図２】
2010005200.tif 000004
【図３】
2010005200.tif 000005
【図４】
2010005200.tif 000006
【図５】
2010005200.tif 000007
【図６】
2010005200.tif 000008
【図７】
2010005200.tif 000009
【図８】
2010005200.tif 000010
【図９】
2010005200.tif 000011
【図１０】
2010005200.tif 000012